(57)【要約】【課題】頭皮の毛根に付着している脂を吸引することによって育毛に最適の環境を整えるようにした毛根脂吸引装置であり、簡易な構造で安価に製造することによって個人が所有することができ、家庭等で手軽に使用して効果を上げることができる毛根脂吸引装置を提供する。【解決手段】片手で扱うことができる毛根脂吸引装置であって、手の握り部を成す外筒２の後端基部７に設けられた接続口１１にホース５を介して外装の吸引ポンプ機４を連結すると共に、外筒２内にて接続口１１に着脱自在に連結されたスリット付きストレーナ１５の内部にフィルター１６を取り出し自在に収納した構成により、吸引ポンプ機４を作動して外筒２の先端開口部２ａを頭皮に当てることにより、該外筒２内を陰圧にして毛根の脂を吸い取ると共にフィルター１６で濾過するようにした。【選択図】図４
2004121719.tif 000002
【特許請求の範囲】
【請求項１】
片手で扱うことができる毛根脂吸引装置であって、手の握り部を成す外筒の後端基部に設けられた接続口にホースを介して外装の吸引ポンプ機を連結すると共に、前記外筒内にて前記接続口に着脱自在に連結されたスリット付きストレーナの内部にフィルターを取り出し自在に収納した構成により、前記吸引ポンプ機を作動して前記外筒の先端開口部を頭皮に当てることにより、前記外筒内を陰圧にして毛根の脂を吸い取ると共に前記フィルターで濾過するようにしたことを特徴とする毛根脂吸引装置。
【請求項２】
前記フィルターは筒形に形成したメッシュ材により形成されていることを特徴とする請求項１記載の毛根脂吸引装置。
【請求項３】
前記外筒を筒本体と後端基部とに分離して互いに着脱自在とし、前記後端基部の接続口にストレーナを接続した状態で前記筒本体を取り外したとき、前記ストレーナが前記後端基部から突出した状態となって前記接続口との着脱を容易にすると共に、該ストレーナの取り外しによって前記フィルターを取り出し可能としたことを特徴とする請求項１又は２記載の毛根脂吸引装置。
【請求項４】
前記外筒の先端が末広がりに形成され、該末広がりの先端に弾性を有するキャップが着脱自在に設けられたことを特徴とする請求項１、２又は３記載の毛根脂吸引装置。
【請求項５】
前記吸引ポンプ機内には複数の吸引ポンプが内蔵され、該吸引ポンプの駆動数によって吸引力の強弱を調整するようにしたことを特徴とする請求項１、２、３又は４記載の毛根脂吸引装置。
【発明の詳細な説明】
【０００１】
【発明の属する技術分野】
本発明は、頭皮の毛根に付着した脂を除去するために、頭皮の毛根に付着している脂を吸引することによって育毛に最適の環境を整えるようにした毛根脂吸引装置に関する。
【０００２】
【従来の技術】
抜け毛の生じる原因の一つは、頭皮の毛根に付着している脂であることが知られている。この脂はシャンプー等で洗浄するだけでは落とすことができないため、毛根の周囲が閉塞された状況になり、健全なる育毛の環境が整わないことになる。従って、このような状態で育毛剤を使用しても、期待するような育毛効果が得られないという問題点があった。
【０００３】
そこで、近年の育毛研究は、まず頭皮の毛根に付着した脂を取り除くことを基本にしているが、液状或はジェル状の毛生え薬等の薬剤では毛根の脂まで完全に取り除くことは不可能であった。
【０００４】
一方、発毛或は育毛に関する設備を整えたサロン等においては、業務用の育毛装置が使用されている。この装置は、例えば、使用者が頭部にヘルメット状のものを装着して、ヘルメット内全体の圧力の強弱を調整することにより、頭皮全体にマッサージ効果を与え、血行をよくすると共に、ヘルメット内で頭皮全体を吸引することによって頭皮や毛穴の汚れを除去するようにしたものであるが、装置としては大型かつ高価であり、個人が家庭で手軽に使用できるものではなかった。
【０００５】
【発明が解決しようとする課題】
本発明は、上記の事情に鑑みてなされたもので、頭皮の毛根に付着した脂を除去するために、頭皮の毛根に付着している脂を吸引することによって育毛に最適の環境を整えるようにした毛根脂吸引装置であり、簡易な構造で安価に製造することによって個人が所有することができ、家庭等で手軽に使用して効果を上げることができる毛根脂吸引装置を提供することを目的とする。
【０００６】
【課題を解決するための手段】
上記の目的を達成するために、本発明の請求項１の毛根脂吸引装置は、片手で扱うことができる毛根脂吸引装置であって、手の握り部を成す外筒の後端基部に設けられた接続口にホースを介して外装の吸引ポンプ機を連結すると共に、前記外筒内にて前記接続口に着脱自在に連結されたスリット付きストレーナの内部にフィルターを取り出し自在に収納した構成により、前記吸引ポンプ機を作動して前記外筒の先端開口部を頭皮に当てることにより、前記外筒内を陰圧にして毛根の脂を吸い取ると共に前記フィルターで濾過するようにしたことを特徴とする。
【０００７】
また、本発明の請求項２の毛根脂吸引装置は、請求項１において、前記フィルターは筒形に形成したメッシュ材により形成されていることを特徴とする。
【０００８】
また、本発明の請求項３の毛根脂吸引装置は、請求項１又は２において、前記外筒を筒本体と後端基部とに分離して互いに着脱自在とし、前記後端基部の接続口にストレーナを接続した状態で前記筒本体を取り外したとき、前記ストレーナが前記後端基部から突出した状態となって前記接続口との着脱を容易にすると共に、該ストレーナの取り外しによって前記フィルターを取り出し可能としたことを特徴とする。
【０００９】
また、本発明の請求項４の毛根脂吸引装置は、請求項１、２又は３において、前記外筒の先端が末広がりに形成され、該末広がりの先端に弾性を有するキャップが着脱自在に設けられたことを特徴とする。
【００１０】
さらに、本発明の請求項５の毛根脂吸引装置は、請求項１、２、３又は４において、前記吸引ポンプ機内には複数の吸引ポンプが内蔵され、該吸引ポンプの駆動数によって吸引力の強弱を調整するようにしたことを特徴とする。
【００１１】
【発明の実施の形態】
以下、本発明の実施例について図面を参照しながら説明する。
【００１２】
本発明による毛根脂吸引装置は、図６（ａ）に示すように片手で扱うことができる毛根脂吸引装置であって、図１に示すように手の握り部を成す外筒２の後端基部７と吸引ポンプ機４とをホース５で接続して成るものである。
【００１３】
このような構成についてより詳細に述べると、本実施例においては、図２又は図３に示すように、外筒２を筒本体６と後端基部７とに分離して互いに着脱自在としている。即ち、外筒２の後端基部７の突出部８の外周に雄ネジ９が形成され、該雄ネジ９を筒本体６の後端内周に形成された雌ネジ１０に螺合することによって、図４に示すように一体的に結合された外筒２が形成される。
【００１４】
図３において、外筒２の後端基部７には接続口１１が設けられている。この接続口１１は外部に突出した外部接続口１２と内部に突出した内部接続口１３とからなり、外部接続口１２にホース５を接続して後述する外装の吸引ポンプ機４と連結するようにしている。
【００１５】
また、外筒２の後端基部７の内部接続口１３にはストレーナ１４を着脱自在に取り付けるようにしている。このストレーナ１４は、図３に示すように、外周に複数の縦状スリット１５、１５…を形成した筒形に形成され、一端は閉塞（閉塞部１４ｂ）してあり、他端は開口（開口部１４ａ）して後端基部７の内部接続口１３の外周に嵌合することにより取り付けることができ、内部接続口１３から引き抜くことによって取り外すことができる。
【００１６】
また、このストレーナ１４を後端基部７の内部接続口１３から取り外した際に、ストレーナ１４の開口部１４ａから内部にフィルター１６を収納したり、取り出したりすることが可能とされている。
【００１７】
このフィルター１６は、ストレーナ１４の内部に収納される筒形に形成され、金属或は合成樹脂等のメッシュ材により作成されている。このフィルター１６をストレーナ１４内に収容して後端基部７の内部接続口１３に挿着すると、フィルター１６がストレーナ１４内に納まり、この状態でストレーナ１４のスリット１５、１５…を介して吸引の際の通気をなし、濾過効果を発揮しながら吸引力を外方に及ぼすことができる。
【００１８】
また、本実施例においては、外筒２の先端が末広がり（末広がり部６ａ）に形成され、該末広がりの先端に弾性ゴム又はシリコン等の弾性合成樹脂等により形成された弾性を有するキャップ１７が着脱自在に設けられた構成とされ、キャップ１７を頭皮に当てた際の接地感を良好にすると共に、外筒２内の密閉状態を良くして吸引効果を高めることができる。
【００１９】
上記構成のように、外筒２を筒本体６と後端基部７とに分離して互いに着脱自在とし、後端基部７の内部接続口１３にストレーナ１４を接続した状態で筒本体６を取り外したとき、該ストレーナ１４が後端基部７から露出して内部接続口１３への着脱を容易にするものである。
【００２０】
また、ストレーナ１４の取り外しによってフィルター１６を取り出し可能としてあり、さらには各部の構成を分離可能としたことによって各部の洗浄及び交換を容易に行うことができ、常に清潔な状態での使用が可能となる。
【００２１】
一方、図５に示すように、外装の吸引ポンプ機４内には複数の吸引ポンプ２１、２１…が内蔵され、夫々の吸引ポンプ２１、２１…が一つの吸引接続端子２２にまとめられ、図１に示すように、外筒２の後端に接続したホース５の端子５ａを吸引接続端子２２に接続することにより、吸引ポンプ２１、２１…からの吸引力を外筒２内に及ぼすことができる。
【００２２】
このような構成の吸引ポンプ機４においては、複数の吸引ポンプ２１、２１…の駆動数によって吸引力の強弱を調整することができ、図５の電子制御盤２３を介して、図１に示す吸引ポンプ機４のケース２４に設けられたスイッチ類２５ａ〜２５ｃの操作によって、吸引ポンプ機４のＯＮ・ＯＦＦ、及び吸引力の強弱調整を行うことができる。即ち、図１及び図５において、スイッチ２５ａは電源スイッチである。また、スイッチ２６ｂは３機の吸引ポンプ２１、２１、２１を駆動することによって吸引力を「強」にするためのスイッチであり、スイッチ２５ｃは２機の吸引ポンプ２１、２１を駆動することによって吸引力を「弱」にするためのスイッチであり、２６ａ〜２６ｃは夫々のスイッチに対応したＬＥＤランプである。
【００２３】
本実施例の毛根脂吸引装置は、上記のように構成されているため、吸引ポンプ機４を作動すると共に、図６（ａ）に示すように外筒２の先端開口部２ａのキャップ１７を頭皮２０に当てることによって外筒２内を陰圧にすることができ、図６（ｂ）に示すような頭皮２０の毛根の脂３０、その他の老廃物等を吸い取り、外筒２内のストレーナ１４内に収納したフィルター１６で濾過することができる。
【００２４】
なお、本発明の毛根脂吸引装置を使用する際には、図６（ｂ）に示すような頭皮２０の毛根に付着した脂３０を除去し易くするため、本装置の使用の前に毛根の脂３０を溶かす溶剤を頭皮２０に塗布しておき、該溶剤によって溶けた毛根の脂３０を本装置で吸引すれば、より効果的な吸引作用を及ぼすことが可能となる。
【００２５】
【発明の効果】
以上説明したように、本発明の毛根脂吸引装置は、手の握り部を成す外筒の後端基部に設けられた接続口にホースを介して外装の吸引ポンプ機を連結すると共に、外筒内にて接続口に着脱自在に連結されたスリット付きストレーナの内部にフィルターを着脱自在に設けた構成により、個人が片手で扱うことが可能であり、吸引ポンプ機を作動すると共に外筒の先端開口部を頭皮に当てることによって外筒内を陰圧にして毛根の脂を吸い取り、育毛に最適の環境を整えることができる。
【００２６】
また、上記のように外筒内に吸い取った毛根の脂はフィルターによって濾過され、このフィルターはストレーナを取り外すことによって該ストレーナから取り出して洗浄或は交換に供することができる。
【００２７】
さらに、本発明の毛根脂吸引装置は、外筒を筒本体と後端基部とに分離した構成、後端基部の接続口にストレーナを接続する構成、筒本体の末広がりの先端に弾性を有するキャップが着脱自在に設けられた構成とすることにより、必要に応じて各部を分解することが可能であり、洗浄や部品交換の際に利便となる。
【００２８】
また、本発明の毛根脂吸引装置は、簡易な構造で安価に製造することができ、個人が所有することも容易であって、家庭等で適当な時間に手軽に使用することが可能となる。
【図面の簡単な説明】
【図１】本発明による毛根脂吸引装置の全体斜視図である。
【図２】（ａ）は本発明による毛根脂吸引装置の外筒側の分解側面図であり、（ｂ）は（ａ）のＡ−Ａ線断面図である。
【図３】本発明による毛根脂吸引装置の外筒側の分解断面図である。
【図４】（ａ）は本発明による毛根脂吸引装置の外筒を一体的に結合した縦断面図であり、（ｂ）は外観図であり、（ｃ）は（ｂ）を下端から見た図である。
【図５】本発明における吸引ポンプ機の内部を示す平面図である。
【図６】（ａ）は本発明による毛根脂吸引装置の使用状況を示す外観図であり、（ｂ）は頭皮の毛根の拡大図である。
【符号の説明】
２…外筒
２ａ…先端開口部
４…吸引ポンプ機
５…ホース
５ａ…ホースの端子
６…筒本体
６ａ…末広がり部
７…後端基部
８…突出部
９…雄ネジ
１０…雌ネジ
１１…接続口
１２…外部接続口
１３…内部接続口
１４…ストレーナ
１４ａ…開口部
１４ｂ…閉塞部
１５…スリット
１６…フィルター
１７…キャップ
２０…頭皮
２１…吸引ポンプ
２２…吸引接続端子
２３…電子制御盤
２４…ケース
２５ａ〜２５ｃ…スイッチ類
２６ａ〜２６ｃ…ＬＥＤランプ
３０…毛根の脂
【図１】
2004121719.tif 000003
【図２】
2004121719.tif 000004
【図３】
2004121719.tif 000005
【図４】
2004121719.tif 000006
【図５】
2004121719.tif 000007
【図６】
2004121719.tif 000008
【手続補正書】
【提出日】平成15年6月20日(2003.6.20)
【手続補正１】
【補正対象書類名】明細書
【補正対象項目名】特許請求の範囲
【補正方法】変更
【補正の内容】
【特許請求の範囲】
【請求項１】
片手で扱うことができる毛根脂吸引装置であって、手の握り部を成す外筒の後端基部に設けられた接続口にホースを介して外装の吸引ポンプ機を連結すると共に、前記外筒内にて前記接続口に着脱自在に連結されたスリット付きストレーナの内部にフィルターを取り出し自在に収納した構成により、前記吸引ポンプ機を作動して前記外筒の先端開口部を頭皮に当てることにより、前記外筒内を陰圧にして毛根の脂を吸い取ると共に前記フィルターで濾過するようにした毛根脂吸引装置において、
前記フィルターは筒形に形成したメッシュ材により形成され、前記外筒の先端が末広がりに形成され、該末広がりの先端に弾性を有するキャップが着脱自在に設けられ、さらに前記外筒を筒本体と後端基部とに分離して互いに着脱自在とし、前記後端基部の接続口にストレーナを接続した状態で前記筒本体を取り外したとき、前記ストレーナが前記後端基部から突出した状態となって前記接続口との着脱を容易にすると共に、該ストレーナの取り外しによって前記フィルターを取り出し可能とし、前記吸引ポンプ機内には複数の吸引ポンプが内蔵され、該吸引ポンプの駆動数によって吸引力の強弱を調整するようにしたことを特徴とする毛根脂吸引装置。
【手続補正２】
【補正対象書類名】明細書
【補正対象項目名】０００６
【補正方法】変更
【補正の内容】
【０００６】
【課題を解決するための手段】
上記の目的を達成するために、本発明の請求項１記載の毛根脂吸引装置は、片手で扱うことができる毛根脂吸引装置であって、手の握り部を成す外筒の後端基部に設けられた接続口にホースを介して外装の吸引ポンプ機を連結すると共に、前記外筒内にて前記接続口に着脱自在に連結されたスリット付きストレーナの内部にフィルターを取り出し自在に収納した構成により、前記吸引ポンプ機を作動して前記外筒の先端開口部を頭皮に当てることにより、前記外筒内を陰圧にして毛根の脂を吸い取ると共に前記フィルターで濾過するようにした毛根脂吸引装置において、前記フィルターは筒形に形成したメッシュ材により形成され、前記外筒の先端が末広がりに形成され、該末広がりの先端に弾性を有するキャップが着脱自在に設けられ、さらに前記外筒を筒本体と後端基部とに分離して互いに着脱自在とし、前記後端基部の接続口にストレーナを接続した状態で前記筒本体を取り外したとき、前記ストレーナが前記後端基部から突出した状態となって前記接続口との着脱を容易にすると共に、該ストレーナの取り外しによって前記フィルターを取り出し可能とし、前記吸引ポンプ機内には複数の吸引ポンプが内蔵され、該吸引ポンプの駆動数によって吸引力の強弱を調整するようにしたことを特徴とする。


【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００２５
【補正方法】変更
【補正の内容】
【００２５】
【発明の効果】
以上説明したように、本発明の毛根脂吸引装置は、片手で扱うことができる毛根脂吸引装置であって、手の握り部を成す外筒の後端基部に設けられた接続口にホースを介して外装の吸引ポンプ機を連結すると共に、前記外筒内にて前記接続口に着脱自在に連結されたスリット付きストレーナの内部にフィルターを取り出し自在に収納した構成により、前記吸引ポンプ機を作動して前記外筒の先端開口部を頭皮に当てることにより、前記外筒内を陰圧にして毛根の脂を吸い取ると共に前記フィルターで濾過するようにした毛根脂吸引装置において、前記フィルターは筒形に形成したメッシュ材により形成され、前記外筒の先端が末広がりに形成され、該末広がりの先端に弾性を有するキャップが着脱自在に設けられ、さらに前記外筒を筒本体と後端基部とに分離して互いに着脱自在とし、前記後端基部の接続口にストレーナを接続した状態で前記筒本体を取り外したとき、前記ストレーナが前記後端基部から突出した状態となって前記接続口との着脱を容易にすると共に、該ストレーナの取り外しによって前記フィルターを取り出し可能とし、前記吸引ポンプ機内には複数の吸引ポンプが内蔵され、該吸引ポンプの駆動数によって吸引力の強弱を調整するようにしてあるため、個人が片手で扱うことが可能であり、吸引ポンプ機を作動すると共に外筒の先端開口部を頭皮に当てることによって外筒内を陰圧にして毛根の脂を吸い取り、育毛に最適の環境を整えることができる。


【手続補正８】
【補正対象書類名】明細書
【補正対象項目名】００２８
【補正方法】変更
【補正の内容】
【００２８】
また、本発明の毛根脂吸引装置において、吸引ポンプ機内には複数の吸引ポンプが内蔵され、該吸引ポンプの駆動数によって吸引力の強弱を調整するようにしてあるため、複雑な制御回路を必要とせず、小型であって、携帯にも利便であり、簡易な構造で安価に製造することができる。従って、個人が所有することも容易であって、家庭等で適当な時間に手軽に使用することが可能となる。